(57)【特許請求の範囲】
【請求項１】
オフ状態からオン状態に切り替えるオン操作が可能なオン操作手段と、
前記オン操作により今回の計測を開始して、その計測により今回計測値を求める計測手段と、
前記今回計測値の表示のための今回計測値表示情報を記憶して、次回の計測まで前回計測値表示情報として保持する記憶手段と、
前記今回の計測の開始と同時またはその直後に、前記記憶手段がそれまで保持していた前記前回計測値表示情報に基づいて前回計測値の表示を開始し、所定の表示条件が成立した後に、前記前回計測値の表示に代えてまたは前記前回計測値の表示とともに、前記今回計測値の表示を行う表示手段と、
を備え、
前記計測手段は、計測条件が成立したときに、最終値となる前記今回計測値を確定し、
前記表示手段は、前記計測条件より前記表示条件が後に成立したときには、前記今回計測値の表示として、確定された前記今回計測値を表示することを特徴とする計測器。
【請求項２】
前記オン操作は、前記オン操作手段を第１状態から第２状態に切り替える第１切替操作と、その後、前記第２状態から前記第１状態に戻す第２切替操作とを含み、
前記今回の計測は、前記第１切替操作により開始され、
前記表示条件の必要条件の１つとして、前記第２切替操作が行われたことが含まれることを特徴とする、請求項１に記載の計測器。
【請求項３】
前記表示条件の必要条件の１つとして、前記前回計測値の表示の開始からの所定の前回値表示期間が経過したことが含まれることを特徴とする、請求項１または２に記載の計測器。
【請求項４】
前記計測の開始からの経過時間または測定回数に基づくアイドリング期間が定められており、
前記計測手段は、前記計測条件の成否を判別するに際して、前記アイドリング期間中の計測値を無視することを特徴とする、請求項１ないし３のいずれかに記載の計測器。
【請求項５】
前記計測条件の必要条件の１つとして、条件判別直前の計測値を含む予定の連続回数の計測値の全てが予定の計測値範囲内であり、且つ、最近の測定値の変化が所定の変化範囲内であること、が含まれていることを特徴とする、請求項１ないし４のいずれかに記載の計測器。
【請求項６】
前記表示手段以外の報知手段をさらに備え、
前記計測手段は、前記計測条件の成否を判別するに際して、前記報知手段による報知から一定の無視期間を経過するまでの計測値を無視することを特徴とする、請求項１ないし５のいずれかに記載の計測器。
【請求項７】
前記表示条件が成立した後、所定の今回値表示期間が経過したときに、前記オン状態から前記オフ状態に自動的に切り替えて前記表示手段の表示を終了させる自動オフ切替手段をさらに備えたことを特徴とする、請求項１ないし６のいずれかに記載の計測器。
【請求項８】
前記表示手段は、前記計測条件が成立する前に前記表示条件が成立した場合、前記今回計測値の表示として、計測中の計測値に基づく仮確定値の表示および／または計測中を示す表示を行うことを特徴とする、請求項１ないし７のいずれかに記載の計測器。
【請求項９】
前記表示手段以外の報知手段をさらに備え、
前記計測手段は、前記計測条件の成否を判別するに際して、前記報知手段による報知から一定の無視期間を経過するまでの計測値を無視することを特徴とする、請求項１ないし８のいずれかに記載の計測器。
【請求項１０】
前記オン状態から前記オフ状態に切り替えて前記表示手段の表示を終了させるオフ操作が可能なオフ操作手段をさらに備えたことを特徴とする、請求項１ないし９のいずれかに記載の計測器。
【請求項１１】
計測対象が体温であることを特徴とする、請求項１ないし１０のいずれかに記載の計測器。
【請求項１２】
計測対象が血圧であることを特徴とする、請求項１ないし１０のいずれかに記載の計測器。
【請求項１３】
オフ状態からオン状態に切り替えるオン操作により今回の計測を開始すると同時またはその直後に、前回の計測による前回計測値を表示し、所定の表示条件が成立した後、前記前回計測値の表示に代えてまたは前記前回計測値の表示とともに、前記今回の計測による今回計測値を表示する計測器の表示方法であって、
計測条件が成立したときに、最終値となる前記今回計測値を確定し、前記計測条件より前記表示条件が後に成立したときには、前記今回計測値の表示として、確定された前記今回計測値を表示することを特徴とする計測器の表示方法。
【発明の詳細な説明】
【０００１】
【発明の属する技術分野】
本発明は、計測器に関し、特に計測に先立ち、前回の計測値を確認できる機能を備えた計測器に関する。
【０００２】
【従来の技術】
従来から、例えば電子体温計や電子血圧計などの計測器に対して、体温や血圧などの計測に先立ち、前回の計測値を確認したいという要望がある。そして、このような要望に対応した計測器として、例えば前回の測温値を表示する温度計測器（温度計）などが知られている（特公平６−１００５０８号参照）。
【０００３】
この種の従来の計測器では、電源などのスイッチをオンにした直後に、前回の計測値（前回計測値）を表示した後、あらためて計測を行い、その回の計測値（今回計測値）を表示する。すなわち、これにより、ユーザは、前回計測値を確認してから所定時間後に今回計測値を確認できる。
【０００４】
【発明が解決しようとする課題】
一般に、計測器においては、例えばスイッチのオン・オフ操作に伴うチャタリングなどの要因により、一時的に計測が不安定になる場合がある。すなわち、このような場合、正確な計測ができなくなるので、そのような不安定要因のある計測器の計測値の信頼性は低い。
【０００５】
特に電子体温計や電子血圧計などでは、計測した体温や血圧のピーク値を今回計測値として保持（ホールド）するため、不安定な状態において誤って計測した値がピーク値となったときに、その誤った値が今回計測値として保持され、上記の不安定要因はそのまま誤計測要因となるので、なおさら計測値の信頼性が低下する。
【０００６】
このため、例えば上述した温度計などでは、チャタリング防止回路によるチャタリング防止期間を設けている。すなわち、スイッチを押してから所定のチャタリング防止期間後に、前回計測値を表示し、その後、スイッチを離してから所定のチャタリング防止期間後に、表示部等の正常作動確認の試表示（全点灯：固定値表示）に切り替えると同時に、体温などの温度の計測を開始する（図３３参照）。
【０００７】
しかし、これでは、前回計測値を確認してから今回計測値を確認できるまでに時間がかかる。また、単にチャタリング防止期間を設けるだけでは正確な計測ができない場合もあるので、計測値の信頼性を十分に高めることはできない。
【０００８】
本発明は、前回計測値を確認した後、より信頼性の高い今回計測値をより早く確認できる計測器およびその表示方法を提供することを目的とする。
【０００９】
【課題を解決するための手段】
本発明の計測器は、オフ状態からオン状態に切り替えるオン操作が可能なオン操作手段と、前記オン操作により今回の計測を開始して、その計測により今回計測値を求める計測手段と、前記今回計測値の表示のための今回計測値表示情報を記憶して、次回の計測まで前回計測値表示情報として保持する記憶手段と、前記今回の計測の開始と同時またはその直後に、前記記憶手段がそれまで保持していた前記前回計測値表示情報に基づいて前回計測値の表示を開始し、所定の表示条件が成立した後に、前記前回計測値の表示に代えてまたは前記前回計測値の表示とともに、前記今回計測値の表示を行う表示手段と、を備え、前記計測手段は、計測条件が成立したときに、最終値となる前記今回計測値を確定し、前記表示手段は、前記計測条件より前記表示条件が後に成立したときには、前記今回計測値の表示として、確定された前記今回計測値を表示することを特徴とする。
【００１０】
また、本発明の表示方法は、オフ状態からオン状態に切り替えるオン操作により今回の計測を開始すると同時またはその直後に、前回の計測による前回計測値を表示し、所定の表示条件が成立した後、前記前回計測値の表示に代えてまたは前記前回計測値の表示とともに、前記今回の計測による今回計測値を表示する計測器の表示方法であって、計測条件が成立したときに、最終値となる前記今回計測値を確定し、前記計測条件より前記表示条件が後に成立したときには、前記今回計測値の表示として、確定された前記今回計測値を表示することを特徴とする。
【００１１】
これらによれば、今回の計測の開始と同時またはその直後に、前回計測値の表示を開始するので、前回計測値の表示により前回計測値の確認ができる。また、今回の計測の期間と表示条件が成立するまでの前回計測値の表示の期間とを重複させることができる（両期間が並行して経過する）ので、前回計測値の表示の期間に今回の計測を進めることができる。また、最終値となる今回計測値は、計測条件が成立したときに確定するが、前回計測値の表示期間中も今回の計測を進めるので、表示条件の成立より前に計測条件が成立して今回計測値が確定すれば、表示条件の成立直後に確定された今回計測値を表示できる。すなわち、前回計測値の表示期間に、試計測期間などのいわゆるアイドリング期間を設けられるので、前回計測値を確認した後、より信頼性の高い今回計測値をより早く確認できる。
【００１２】
また、所定の表示条件が成立した後に今回計測値を表示するので、その表示条件の定め方により、表示する今回計測値をより信頼性の高いものにしたり、その表示タイミングを調整したりするなどの、種々の工夫ができる。
【００１３】
また、前述の従来の温度計測器では、オン操作を構成するスイッチを押す（閉：ＣＬＯＳＥ）操作と離す（開：ＯＰＥＮ）操作の２操作が、それぞれ前回計測値の表示開始のトリガと今回計測の開始のためのトリガとなっていたため、キースイッチなどの２操作を要するオン操作手段が必須となっていたが、上述の場合、単一のトリガでよいので、単一の操作でオン操作可能なスライドスイッチやロータリースイッチなども適用でき、その場合、スイッチ等の操作数も半減できる。
【００１４】
また、計測条件が成立したときに、今回計測値を確定するので、例えば計測環境の条件や計測タイミングの条件など、計測値の信頼性や計測器の操作性・利便性などを高めるための種々の条件を定め、それが成立したときに、今回計測値を確定することにより、その今回計測値の信頼性を高めるなど、種々の工夫が可能になる。
【００１５】
また、上述の計測器において、前記オン操作は、前記オン操作手段を第１状態から第２状態に切り替える第１切替操作と、その後、前記第２状態から前記第１状態に戻す第２切替操作とを含み、前記今回の計測は、前記第１切替操作により開始され、前記表示条件の必要条件には、前記第２切替操作が行われたことが含まれることが好ましい。
【００１６】
これによれば、オン操作手段が２操作を要する手段である場合に、第１切替操作により、今回の計測を開始するので、従来より早く今回計測値を求めることができる。この場合、オン操作手段としては、従来と同様の例えばキースイッチなどを利用できる。すなわち、例えばキースイッチの押す操作を第１切替操作、離す操作を第２切替操作として、その第１切替操作により今回の計測を開始することができ、第２切替操作により今回の計測を開始する従来のものより、より早く今回計測値を求めることができる。
【００１７】
また、表示条件の必要条件に、第２切替操作が行われたことが含まれるので、表示条件に他の条件が含まれていても、それらの条件成立よりもこの第２切替操作を意識的に遅らせることにより、すなわち、第１切替操作から第２切替操作までの期間を長くすることにより、任意の期間だけ、前回計測値の確認をすることができる。
【００１８】
また、この場合も、第１切替操作から第２切替操作までの期間は、今回の計測の期間と重複する期間なので、今回の計測を遅らせることなく、前回計測値の確認ができる。また、前回計測値の表示に代えて今回計測値を表示する場合、第２切替操作を、今回計測値確定後まで遅らせれば、前回計測値の表示が終了すると同時に今回計測値の表示となり、前回と今回の計測値の確認およびそれらの比較などがし易くなる。
【００１９】
また、上述の各計測器において、前記表示条件の必要条件には、前記前回計測値の表示の開始からの所定の前回値表示期間が経過したことが含まれることが好ましい。
【００２０】
これによれば、表示条件の必要条件に、所定の前回値表示期間が経過したことが含まれるので、前回値表示期間として十分な期間を定めておけば、前回計測値の確認を十分に行うことができる。また、この前回値表示期間は、今回の計測の期間と重複して（並行に）経過する期間なので、今回の計測を遅らせることなく、前回計測値の確認ができる。
【００２１】
また、前回計測値の表示に代えて今回計測値を表示する場合、前回値表示期間を他の表示条件の期間より長く定めれば、表示条件全体の成立時を前回値表示期間の経過時と一致させることができるので、所望の期間だけ前回計測値の確認を行うことができる。なお、この場合の前回値表示期間は、所定時間（例えば１〜３分程度）や所定回数（例えば３０〜９０回程度）の計測期間などに基づいて定めれば良い。
【００２２】
また、上述の各計測器において、前記計測の開始からの経過時間または測定回数に基づくアイドリング期間が定められており、前記計測手段は、前記計測条件の成否を判別するに際して、前記アイドリング期間中の計測値を無視することが好ましい。
【００２３】
これによれば、計測の開始から回路等が安定するまでの所定時間や所定の回数だけ試験的に計測する試計測期間など、その間の計測値を無視する計測期間、すなわち、アイドリング期間を設けることにより、今回計測値の信頼性を高められる。また、この期間は、表示条件が成立するまでの前回計測値の表示期間と重複させることができるので、同等の期間を従来のものに設けるのに比べて、表示条件が成立するまでの期間分だけ、今回計測値が確認できるまでの期間を短縮できる。
【００２４】
また、上述の各計測器において、前記計測条件の必要条件の１つとして、条件判別直前の計測値を含む予定の連続回数の計測値の全てが予定の温度範囲内であり、且つ、最近の測定値の変化が所定の変化範囲内であること、が含まれていることが好ましい。
【００２５】
一般に、計測器には、正常な計測値が所定の計測値範囲内の値となることが知られているものがある。例えば、計測対象が体温（すなわち体温計）の場合に、所定の計測値範囲を３２〜４２℃等と定めておき、計測値（体温）がこの計測値範囲内にあるときには正常、範囲外のときには不正と判断できるので、これを計測条件に含めておけば、今回計測値の確定（終了）の目安になり便利である。また、この場合、例えば４２℃を超える値が計測されれば、それは異常の発生を意味し、それ以降の計測は無意味となるので、計測終了の条件となり得る。
【００２６】
すなわち、この計測器では、計測条件の必要条件として、今回計測値を含む予定の連続回数の計測値の全てが予定の計測値範囲内であることが含まれることにより、それを、今回計測値の確定の目安にしたり、計測終了の条件とすることができ、これにより、計測に要する時間の短縮が可能になり、再計測の機会がより早く得られるなど、操作性や利便性を向上できる。
【００２７】
また、一般に、計測器には、計測値が一定の値に収束するものがある。このような場合、計測値の変化がなくなったとき、すなわち、計測値が一定となったときに最終値が得られる。ただし、測定器には、所定の誤差が許容されているので、最終的に一定となるのを待たなくとも、その誤差範囲内で、直線近似等により最終値（例えば体温計における体温）を得ることができる。
【００２８】
すなわち、この計測器では、計測条件に、最近の計測値の変化が所定の変化範囲内にあること（一定も含む）が含まれることにより、直線近似等により求めた値を今回計測値にするなど、計測値確定（終了）の条件とすることができ、この結果、計測に要する時間の短縮が可能になり、操作性や利便性を向上できる。
【００２９】
また、上述の各計測器において、前記表示条件が成立した後、所定の今回値表示期間が経過したときに、前記オン状態から前記オフ状態に自動的に切り替えて前記表示手段の表示を終了させる自動オフ切替手段をさらに備えたことが好ましい。
【００３０】
これによれば、所定の今回値表示期間が経過したときに、自動的に表示を終了させる自動オフ切替手段を備えているので、ユーザが特になにもしなくても（オフ操作を忘れても）オフ状態に戻すことができる。なお、この場合の今回値表示期間も、所定時間（例えば３０分程度）や所定回数（例えば９００回程度）の計測期間などに基づいて定めれば良い。
【００３１】
また、上述の各計測器において、前記表示手段は、前記計測条件が成立する前に前記表示条件が成立した場合、前記今回計測値の表示として、計測中の計測値に基づく仮確定値の表示および／または計測中を示す表示を行うことが好ましい。
【００３２】
これによれば、計測条件が成立する前に表示条件が成立した場合、刻々と変化する仮確定値や計測中を示す表示を行うので、ユーザは、計測中であることを知ることができ、計測をしているという安心感が得られる。また、仮確定値とともに計測中を示す表示を行うことにより、仮確定値が一定の値に安定してきた場合でも、それを今回計測値として誤認するのを防止できる。
【００３３】
また、上述の各計測器において、前記表示手段以外の報知手段をさらに備え、
前記計測手段は、前記計測条件の成否を判別するに際して、前記報知手段による報知から一定の無視期間を経過するまでの計測値を無視することが好ましい。
【００３４】
例えば、ブザー、アラーム、他の表示手段などの、今回計測値を表示する表示手段以外の報知手段を起動することが、電源電圧変動などの計測環境に影響することがある。この計測器では、今回計測値を確定するときに、これらの誤計測の可能性のある期間の計測値を無視することにより、今回計測値の信頼性を高められる。なお、この場合の無視期間も、所定時間（例えばブザーの場合、３秒程度）や所定回数（例えばブザーの場合、１回程度）の試計測期間などに基づいて定めれば良い。
【００３５】
また、上述の各計測器において、前記オン状態から前記オフ状態に切り替えて前記表示手段の表示を終了させるオフ操作が可能なオフ操作手段をさらに備えたことが好ましい。
【００３６】
これによれば、オフ操作が可能なオフ操作手段を備えているので、任意の時点でオフ状態にすることができる。ここで、オフ操作手段は、前述のオン操作手段と同一の手段（例えばオン操作手段がキースイッチの場合、同一のスイッチの２度の押下の１度目がオン操作、２度目がオフ操作）としても良いし、オン操作手段とは別の手段（例えばオン操作手段がオンスイッチの場合、オフ操作手段がオフスイッチ）としても良い。また、スライドスイッチやロータリースイッチの別の位置を、オン状態の位置とオフ状態の位置などのように定めることもできる。
【００４２】
また、上述の各計測器において、計測対象が体温であることが好ましい。
【００４３】
これによれば、計測対象が体温なので、上述した種々の利点を有しつつ、電子体温計として機能する。
【００４４】
また、上述の各計測器において、計測対象が血圧であることが好ましい。
【００４５】
これによれば、計測対象が血圧なので、上述した種々の利点を有しつつ、電子血圧計として機能する。
【００４８】
【発明の実施の形態】
以下、本発明の一実施形態に係る計測器およびその表示方法を適用した電子体温計について、添付図面を参照しながら詳細に説明する。ここで例示する電子体温計は、実測式の測温部（感温部）一体型でその全体が防浸性を有する一般用抵抗体温計に属するものである。
【００４９】
図１および図２に示すように、この電子体温計１は、ＡＢＳ樹脂等から成る本体ケース１０１を主体として全体が長さ１２６ｍｍ×幅１７ｍｍ×高さ１０ｍｍの細長い流線型を成し、その先端部に感温部２を、やや後寄りの中央部にはその表面にポリエステル樹脂やポリエステルフィルム等から成るカバーガラス１０２で表面が覆われた表示部３を、後端部には電源部４を備え、後端面に電源スイッチ（以下単に「スイッチ」）ＳＷが配設されている。なお、裏面には、型番や製造元等を示す銘板１０３、製造年／番号等の刻印１０４などが付される。
【００５０】
また、電子体温計１には、図３に示すように、カスタム集積回路（以下「ＩＣ」））５を中心とする電気回路が組み込まれている。また、図示の回路部品のうち、サーミスタＴＨ、圧電ブザーＢＺ、電池ＢＴ、スイッチＳＷ、および液晶ディスプレイ（ＬＣＤ）６以外は、回路基板７上に配設されている（図４〜６参照）。
【００５１】
サーミスタＴＨは、図４および図５に示すように、エポキシ樹脂２０１で覆われた状態でリードワイヤＬＷを介して回路基板７に接続されるとともに、エポキシ接着剤２０２によりステンレス（ＳＵＳ）等からなるセンサキャップ２０３内に実装され、感温部２を構成している。なお、この感温部２は、本体ケース１０１に接着固定され、シーリングされた状態で防浸性を保持している。
【００５２】
圧電ブザーＢＺは、スイッチＳＷ操作時のクリック音や検温終了時のアラーム音として音による報知（以下単に「アラーム報知」：図２２参照）を行う報知手段であり、図６に示すように、表示部３の下部に実装され、ブザーリード端子ＢＬＴを介して回路基板７に接続される。
【００５３】
電池ＢＴは、同図に示すように、本体ケース１０１と同様のＡＢＳ樹脂等から成る電池蓋４０１の内側に装着され、電源リード端子ＶＬＴを介して回路基板７に接続される。また、スイッチＳＷは、電池蓋４０１の後端に配設されＡＢＳ樹脂等から成るスイッチボタン４０２を介して、回路基板７に接続されたスイッチ端子ＳＷＴを押すことにより、スイッチとしての機能を果たすように構成されている。なお、電池蓋４０１およびスイッチボタン４０２は、Ｏリング（パッキン）によりシーリングされて、防浸性を保持している。
【００５４】
ＬＣＤ６は、同図に示すように、ＬＣＤパネル３０２上に実装され、ＰＯＭ樹脂等からなるパネル枠３０３に固定され、図外のリードワイヤを介して回路基板７に接続される。なお、ＬＣＤパネル３０２の上部には、外部からＬＣＤ６が見えるように、ＡＳ樹脂等から成る表示部ガラス３０１が配設され、本体ケース１０１と超音波溶着法により溶融固定され、防浸性を保持している。
【００５５】
回路基板７に実装されたＩＣ５は、図３に示すように、端子ＶＳＳと端子ＶＤＤとの間に接続された１．５Ｖの電池ＢＴを電源として、１．２〜１．８Ｖの動作電圧で動作する。また、図７に示すように、電源部４の回路として、電源外付けの２つの昇圧コンデンサＣ１、Ｃ２により２倍まで昇圧可能な電源・昇圧回路４１と、電池ＢＴの電圧が規定電圧以下になったことを検出する電池電圧低下検出（ＢＬＤ）回路４２を有している。
【００５６】
なお、この規定電圧は、ＢＬＤ回路４２を機能させるためのしきい値電圧として、回路基板７の回路パターンの接続／切断（ボンディングオプション）により調整できるようになっていて、ここでは、２本（２ビット）の回路パターンｂｓ０、ｂｓ１の電源電圧しきい値回路パターンＢＳＰのボンディングオプションにより４通りの中から選択・設定できる。
【００５７】
また、ＩＣ５のスイッチＳＷと接続されるＩＣ５の端子には、誤動作を防止するための所定のチャタリング防止期間に基づいて設定された内蔵のチャタリング防止回路（図示せず）が接続されている。この電子体温計１では、所定のチャタリング防止期間を３２〜６３ｍｓの範囲の所定時間として定めている（図２１参照）。
【００５８】
また、ＩＣ５は、図３および図７に示すように、外付けの発振抵抗Ｒ１と内蔵コンデンサにより約３２ＫＨｚの発振（原発振）ＧＣを行い電子体温計１の基本クロックを生成する発振回路５１と、その基本クロックの各種分周クロックなどを生成するために分周カウント等を行うカウンタ５２と、そのカウント結果の出力に基づいて他の各回路を制御する制御回路５３を有している。
【００５９】
また、ＩＣ５は、制御回路５３の制御プログラムや測温値（体温）を算出するための直線近似データ（図８参照）を記憶するＲＯＭ５５と、作業領域として使用するＲＡＭ５６と、制御回路５３の指示に従いＲＯＭ５５やＲＡＭ５６のデータ等を使用して測温値を求めるなどの演算処理を行う演算処理部５４を有している。
【００６０】
なお、ＲＡＭ５６は電池ＢＴの電源によりバックアップされていて（またはＥＥＰＲＯＭ等で構成されており）、電源オフ時にも後述の今回値表示情報（今回計測値情報：図２０のＳ２０参照）などのデータを保持可能になっている。
【００６１】
また、ＩＣ５は、制御回路５３の指示に従って温度を検出するための温度検出部２０の回路を有している。この温度検出部２０は、外付けの基準抵抗ＲＳと変換コンデンサＣＳによる基準の充放電発振（基準発振）ＳＣ、および、外付けのサーミスタＴＨと変換コンデンサＣＳによる測温のための充放電発振（測温発振）ＴＣ（図２１参照）を行う測温発振回路２１と、所定の時間（図２１では１．０秒（１．０ｓ））におけるそれらの充放電回数（すなわち基準の充放電回数Ｎｓ（基準発振周波数Ｆｓ）および測温の充放電回数Ｎｔ（測温発振周波数Ｆｔ））をカウントするカウンタ２２を有している。
【００６２】
このＩＣ５では、まず、いわゆる周波数比較方式によりサーミスタＴＨの温度依存の抵抗値Ｒｔを検出する。すなわち、基準発振ＳＣの時定数τｓ（＝基準抵抗ＲＳの抵抗値Ｒｓ×変換コンデンサＣＳの静電容量Ｃｓ）と測温発振ＴＣの時定数τｔ（＝サーミスタＴＨの測温時の抵抗値Ｒｔ×静電容量Ｃｓ）の比τｓ／τｔ＝Ｒｓ／Ｒｔが、それらの発振周波数Ｆｓと発振周波数Ｆｔの比の逆数Ｆｔ／Ｆｓ＝Ｎｔ／Ｎｓに等しくなり、これにより、
τｓ／τｔ＝Ｒｓ／Ｒｔ＝Ｆｔ／Ｆｓ＝Ｎｔ／Ｎｓ          ……（１）式
の関係が成立するので、測温時のサーミスタＴＨの抵抗値Ｒｔを、
Ｒｔ＝Ｒｓ・Ｎｓ／Ｎｔ                                  ……（２）式
により算出する。
【００６３】
ここで、上述のＲｓ・Ｎｓは回路定数から決定される既知の値なので、抵抗値Ｒｔは、カウンタ２２からのカウント出力である測温の充放電回数Ｎｔが求まれば、求めることができる。ただし、ＩＣ５では、１回の計測において基準発振ＳＣと測温発振ＴＣを１組とし、実際の測温発振ＴＣに先立つ基準発振ＳＣにおいて、カウンタ２２の機能確認を兼ねて基準の充放電回数Ｎｓを求め、既知の値と比較することにより、計測に万全を期している（図１５、図２１参照）。もちろん、この基準発振ＳＣやそれによる比較・確認は省略も可能である。
【００６４】
次に、ＩＣ５では、ＲＯＭ５６から温度と抵抗値Ｒｔとの関係を示す直線近似データ（図８参照）を読み出し、その直線近似データに基づいて測温値（体温）を求め、その結果を表示部３に表示する。
【００６５】
このＩＣ５における検温範囲、すなわち、電子体温計１における測温範囲は、３２〜４２℃（８９．６０〜１０７．６０°Ｆ）、表示分解能は、０．０１℃（０．０１°Ｆ）、精度±０．０５℃（３５〜３９℃、その他のレンジでは±０．１℃：室温２３℃±５℃）と規定されていて、ＩＣ５は、ＩＣ５自体その他の製造ばらつきなどに対して、カウンタ２２の論理を調整するための論理調整回路２３を有している。
【００６６】
この論理調整回路２３では、７本（７ビット）の回路パターンｔｌ０〜ｔｌ７の論理精度調整パターンＴＬＰのボンディングオプションにより、０．００５℃／ビットの調整が可能である（図３、４、７参照）。
【００６７】
また、ＩＣ５は、測温値などの計測結果などを表示する表示部３の回路として、上述した測温値等のデータをＬＣＤ表示用データに変換するＬＣＤデコーダ３２と、そのＬＣＤ表示用データに基づいてＬＣＤ６を駆動するＬＣＤドライバ３１とを有している。
【００６８】
電子体温計１は、ＩＣ５のマスク情報を一部変更したオプション（マスクオプション）または回路基板７上のボンディングオプションにより、表示部３のＬＣＤ６として、種々のタイプを使用できる。図９と図１０は、ＬＣＤ６のそれぞれ別のタイプの例を示している。
【００６９】
図９のＬＣＤ６Ａは、図（ａ）に示すように、小数点以下第２位までの基本的な数値（測温値：体温）を表示するための、小数点セグメント６２およびそれぞれ７セグメントから成る４桁の数値セグメント６１と、その右上に、「℃」の表示セグメント６３と、その下に、電池ＢＴの電圧が規定電圧以下になったことを示すＢＬＤマーク（▽マーク）の表示セグメント６４と、を有している。
【００７０】
一方、図１０のＬＣＤ６Ｂは、図（ａ）に示すように、小数点以下第１位までの数値を表示するための、小数点セグメント６２、最上位に「１」の表示ができる２セグメントから成る１桁の数値セグメント６５、および、それぞれ７セグメントから成る３桁の数値セグメント６１と、その右上に「℃」または「°Ｆ」の両方の表示ができる「°Ｅ」の表示セグメント６６と、その下に、ＢＬＤマークの表示セグメント６４と、を有し、主に米国等で使用される華氏の単位「°Ｆ」を用いた測温にも対応できるようになっている。
【００７１】
図９（ａ）や図１０（ａ）の全セグメントを点灯させた表示（全点灯表示）は、後述の今回値表示において、２回目計測が終了する前に表示条件が成立したときの表示に用いられ（図２１参照）、この全点灯表示では、全セグメントが点灯するので、ＬＣＤ６等の正常作動の確認などに利用できる。
【００７２】
また、ＩＣ５は、測温値（仮確定値または今回計測値）が、電子体温計１の測温範囲（ＩＣ５の検温範囲）である３２．００〜４２．００℃（８９．６〜１０７．６°Ｆ）の下限値（３２．００℃（８９．６°Ｆ））未満のときには、両図（ｂ）のように「Ｌ」（低温値表示）を表示し、正常範囲（測温範囲）のときには、同図（ｃ）のようにその測温値（計測値表示：仮確定値表示または今回計測値表示）を表示し、上限値（４２．００℃（１０７．６°Ｆ））を超えたときには、同図（ｄ）のようにブランク（高温度表示）を表示する（図１６参照）。
【００７３】
また、ＩＣ５は、計測の進行状況や計測値に拘らず、電池ＢＴの電圧が規定電圧以下になったときには、同図（ｅ）に示すように、ＢＬＤマーク（ＢＬＤ表示）を表示する。
【００７４】
なお、同図（ｄ）の高温度表示は、ＩＣ５のマスクオプションまたは回路基板７のボンディングオプションにより、点線で示す「Ｈ」の表示に変更できる。
【００７５】
また、同図（ｂ）〜（ｄ）の「℃」または「°Ｆ」の表示は、後述の計測条件が成立し、今回計測値が確定した後には、点灯表示に変化するが（図１１のｋ参照）、それ以前の計測中には、計測中を示すために点滅表示される（図１１のｊ参照）。
【００７６】
このため、電子体温計１では、後述の２回目計測が終了する前に表示条件が成立したときには（図１１の▲３▼▲５▼、図２１〜図２３参照）、今回値表示において、計測中を示す上述の全点灯表示の後、仮確定値の表示とともに「℃」または「°Ｆ」を点滅表示させる（図１１の▲６▼▲７▼ｊ参照）。また、２回目計測が終了後に表示条件が成立したとき（図１１の▲３▼▲６▼参照）も、今回計測値確定前には（図１１のｄ参照）、仮確定値の表示とともに「℃」または「°Ｆ」の点滅表示が行われる（図１１の▲７▼ｊ、図２４参照）。
【００７７】
したがって、この電子体温計１では、計測条件が成立する前に表示条件が成立した場合、すなわち、後述の今回計測値が確定する前に、前回値表示が今回値表示に切り替わった場合（図２１、図２２参照）、今回値表示として、刻々と変化する仮確定値や計測中を示す表示（全点灯表示、「℃」または「°Ｆ」の点滅表示）を行うので、ユーザは、計測中であることを知ることができ、計測をしているという安心感が得られる。
【００７８】
また、仮確定値とともに計測中を示す表示（「℃」または「°Ｆ」の点滅表示）を行うことにより、仮確定値が一定の値に安定してきた場合でも、それを今回計測値として誤認するのを防止できる。
【００７９】
図１１は、上述のようなＬＣＤ６の表示の種別、切替条件および表示データの流れを示すイメージ図である。例えば、同図の▲１▼「電池電圧が規定電圧以下」の条件が成立すると、ＬＣＤ表示データとしてＢＬＤ表示データが選択される。すなわち、ＬＣＤ６の表示はＢＬＤ表示となる（図９（ｅ）、図１０（ｅ）参照）。このような場合、以下の説明では、▲１▼のルートが確保されたものとして「ＬＣＤ表示←ＢＬＤ表示」のように表現し、フローチャート上も同様に示す（図１２のＳ２参照）。
【００８０】
なお、上述の表現は、ハードウェア（論理回路）上、あるいはソフトウェアで処理する場合であっても、選択・切替回路や選択・切替処理上のデータの流れ（ルート）を確保するものなので、通常のフローチャート上のデータの代入文とは異なる。
【００８１】
例えば、後述の例のように、▲２▼「ＬＣＤ表示←前回値表示」と▲５▼「今回値表示←全点灯表示」のルートが確保されてる状態で、▲３▼（表示条件成立により）「ＬＣＤ表示←今回値表示」が確保されると、「ＬＣＤ表示←今回値表示←全点灯表示」のルートが確保され、その結果、ＬＣＤ６は、図９（ａ）または図１０（ａ）で前述のような全点灯表示となる。すなわち、「ＬＣＤ表示←全点灯表示」のルートが確保されたことになる。
【００８２】
また、同様に、その後、▲６▼「今回値表示←計測値表示」に切り替えると（ルートが確保されると）、「ＬＣＤ表示←今回値表示←計測値表示」となるので、ＬＣＤ表示は計測値表示となる。計測値表示では、図９および図１０で前述のように、数値部分の表示と点滅表示の単位（℃または°Ｆ）部分の表示から成る計測条件未成立の間の仮確定値表示か、数値部分と点灯表示の単位の表示から成る計測条件成立後の今回計測値表示のいずれかの表示となる。
【００８３】
また、同図に示すように、本実施形態における表示条件は、ａ「初回計測終了後」およびｂ「ＳＷオン−ＯＰＥＮ後」と定めている。なお、この表示条件は、前回値表示から今回値表示に切り替えるための条件なので、その前提としてｆ「前回値表示中」の条件も表示条件に含まれている。
【００８４】
また、計測条件は、ｃ「初回計測値を除くこと」、ｄ「今回計測値を確定するためには、所定範囲内（３２〜４２℃）で連続４回最大値の更新がないこと」およびｅ「アラーム後、所定時間（３秒）の計測値を除くこと」と定めている。表示条件や計測条件については、さらに後述する。
【００８５】
次に、電子体温計１の制御全体の処理フローについて、上述の図１１のイメージ図および主要タイミングを示す図２１〜図２６のタイムチャートを参照しつつ、図１２以降に基づいて説明する。
【００８６】
計測（測温）や表示に関する最初の処理として、まず、ＳＷ−ＣＬＯＳＥ処理は、図１２に示すように、スイッチＳＷを押すことにより発生する割り込み（ＳＷ−ＣＬＯＳＥ割込）により起動される。
【００８７】
なお、以下の説明では、電源スイッチを兼ねた前述のスイッチＳＷを使用することを前提とするが、電源オン後の状態において他のスイッチを利用して本処理を起動する構成にすることもできる。また、以下では、ＲＯＭ５５の制御プログラム等に基づいてソフトウェア的に処理するように説明するが、以下の処理は、基本的に、カスタム集積回路（ＩＣ５）によって実行される処理なので、以下の処理の全部または一部をハードウェア（論理回路等）で実現することもできる。
【００８８】
ＳＷ−ＣＬＯＳＥ割込により本処理が起動（開始）すると、図１２に示すように、電源電圧は充分か否か、すなわち、電池電源が規定電圧を維持しているか否かを判別し（Ｓ１）、充分でないとき（Ｓ１：Ｎｏ）には、「ＬＣＤ表示←ＢＬＤ表示」に切り替え（Ｓ２：図１１の▲１▼）、ユーザが確認できるように１分経過するまで待ってから（Ｓ３）、ストップする（Ｓ４：ＳＴＯＰ処理については図２０で後述する）。
【００８９】
また、電源電圧が充分なときには（Ｓ１：Ｙｅｓ）、次に、測温許可フラグがオンか否か（ＴＳＦ＝０か否か）を判別する（Ｓ５）。この測温許可フラグがオン（ＴＳＦ＝１）のときは（Ｓ５：Ｎｏ）、ＳＷ−ＣＬＯＳＥ割込以前がオン状態にあったことを意味し、このＳＷ−ＣＬＯＳＥ割込はオフ操作のためのものなので、次に、ストップする（Ｓ４）。
【００９０】
また、測温許可フラグがオフ（ＴＳＦ＝０）のときは（Ｓ５：Ｙｅｓ）、ＳＷ−ＣＬＯＳＥ割込以前がオフ状態にあったことを意味し、このＳＷ−ＣＬＯＳＥ割込はオン操作のためのものなので、次に、測温許可フラグをオン（ＴＳＦ＝１）にし（Ｓ６）、計測開始処理を行った（Ｓ７：図１４参照）後、何らかの割込が発生して（Ｓ９：Ｙｅｓ）、対応する割込処理を行う（Ｓ１０）まで、待機（ＷＡＩＴ）する（Ｓ８）。
【００９１】
ここで、電源電圧が規定電圧を維持しているか否かは、上述のＳＷ−ＣＬＯＳＥ割込発生時以外にも、ＢＬＤ回路４２により随時チェックされていて、規定電圧以下になると、ＢＬＤ割込が発生して、図１３に示すように、ＢＬＤ表示処理を起動する。すなわち、この処理が起動されると、まず、「ＬＣＤ表示←ＢＬＤ表示」の切替えを行い（Ｓ１１：図１１の▲１▼）、ユーザが確認できるように１分経過するまで待ってから（Ｓ１２）、ストップする（Ｓ１３）。
【００９２】
また、上述の測温許可フラグオン（Ｓ６）の後、計測開始処理（Ｓ７）が起動されると、図１４に示すように、まず、チャタリング防止期間ｔｃｈ（図２１の例では、３２〜６３ｍｓ）が経過するまで待った（Ｓ２１）後、発振回路５１による原発振ＧＣを開始し（Ｓ２２）、カウンタ５２による分周カウント等の期間（以下「分周期間」：同例では１００ｍｓ）が経過後（Ｓ２３）、測温発振回路２１およびカウンタ２２による基準発振ＳＣ〜測温発振ＴＣおよびその充放電回数のカウント（Ｎｓ、Ｎｔ）を開始し（Ｓ２４）、初回測温フラグをオン（Ｔ１Ｆ＝１）にする（Ｓ２５）。
【００９３】
すなわち、基準発振ＳＣ〜測温発振ＴＣの開始によって今回の計測を開始し（Ｓ２４）、初回測温であることを明示するとともに、その初回測温による測温値を無視するための準備として初回測温フラグをオン（Ｔ１Ｆ＝１）にする（Ｓ２５）。
【００９４】
初回測温フラグをオン（Ｔ１Ｆ＝１）にすると（Ｓ２５）、次に、「今回値表示←全点灯表示」を設定し（Ｓ２６：図１１の▲５▼）、続いて、「ＬＣＤ表示←前回値表示」を設定した（Ｓ２７：図１１の▲２▼）後、表示切替許可フラグをオン（ＤＳＦ＝１）にし（Ｓ２８）、処理を終了する（Ｓ２９）。
【００９５】
なお、上述の処理において基準発振ＳＣ〜測温発振ＴＣの開始（Ｓ２５）〜表示切替許可フラグオン（Ｓ２８）の処理は、処理順が前後しても支障のないものであり、特にこれらの処理をハードウェア（論理回路等）で実現する場合、ほぼ同時に実行できる。すなわち、計測に関する処理（Ｓ２４、Ｓ２５）と表示に関する処理（Ｓ２６〜Ｓ２８）とを相前後してほぼ同時に実行できる。
【００９６】
上述のように、電子体温計１では、今回の計測の開始とほぼ同時に、前回計測値の表示を開始（Ｓ７）するので、前回計測値の表示により前回計測値の確認ができる。また、今回の計測の期間と表示条件が成立するまでの前回計測値の表示の期間とを重複させることができる（両期間が並行して経過する）ので、前回計測値の表示の期間に今回の計測を進めることができる（図２１、図２２参照）。
【００９７】
基準発振ＳＣ〜測温発振ＴＣおよびその充放電回数のカウント（Ｎｓ、Ｎｔ）が開始され（Ｓ２４）、まず、初回計測の基準発振ＳＣおよびその充放電回数の基準カウント値Ｎｓがカウントされると、基準発振終了割込が発生し、図１５に示すように、基準発振周波数確認処理が起動される。
【００９８】
基準発振周波数確認処理が起動されると、同図に示すように、基準カウント値、すなわち基準の充放電回数Ｎｓを取得し（Ｓ３１）、基準カウント値を確認、すなわち既知の値と検出した値とを比較した（Ｓ３２）後、一致していれば（Ｓ３３：Ｙｅｓ）、処理を終了し（Ｓ３４）、一致していないときには（Ｓ３３：Ｎｏ）、エラー報知（ブザーＢＺによるアラーム報知）をした（Ｓ３５）後、ストップする（Ｓ３６）。この処理は、２回目以降の計測についても同様に行われる。
【００９９】
なお、前述のように、この処理はカウンタ２２の機能確認を兼ねて計測に万全を期すためのものであり、省略も可能である。また、ここでは、アラーム報知としたが、図１０のＬＣＤ６Ｂの場合、その右上に「°Ｅ」の表示セグメント６６を有しているので、「Ｅ」のみを表示してエラー表示とするなど、適宜変更できる。
【０１００】
基準発振周波数確認処理が終了して、測温発振ＴＣおよびその充放電回数の測温カウント値Ｎｔがカウントされると、測温発振終了割込が発生し、図１６に示すように、測温処理が起動される。
【０１０１】
測温処理が起動されると、同図に示すように、まず、２回目以降（Ｔ２Ｆ＝１）か否かを判別し（Ｓ４１）、２回目以降でないときには（Ｓ４１：Ｎｏ）、次に、初回測温（Ｔ１Ｆ＝１）か否かを判別して（Ｓ４２）、初回測温でもないときには（Ｓ４２：Ｎｏ）、予定されていない（誤作動などによる）割込の発生なので、何も処理しないで終了する（Ｓ４７）。なお、ここで、エラー報知などをするようにしても良い。
【０１０２】
初回測温（Ｔ１Ｆ＝１）のときには（Ｓ４２：Ｙｅｓ）、初回測温による測温値を無視して、初回測温フラグをオフ（Ｔ１Ｆ＝０）にし（Ｓ４３）、２回目以降の測温の準備として、初回測温終了フラグをオン（Ｔ２Ｆ＝１）にする（Ｓ４４）。
【０１０３】
次に、最大カウント値の初期化、すなわち連続４回の最大値履歴用の変数ＭＡＸＣ１〜ＭＡＸＣ４と最近の測温値用の変数ＭＡＸＣＣを初期化（＝０）した（Ｓ４５）後、表示切替処理を行って（Ｓ４６）、処理を終了する（Ｓ４７）。
【０１０４】
一般に、計測器では、所定の計測期間として、計測の開始から回路等が安定するまでの所定時間や所定の回数だけ試験的に計測する試計測期間など、その間の計測値を無視する計測期間、すなわち、アイドリング期間を設けることにより、今回計測値の信頼性を高められる。
【０１０５】
例えば、電子体温計では、計量法に基づく電子体温計の検定時において、恒温水槽中等の温度の安定した被測温物の温度測定をする場合、１回目の測温発振時の温度値がサーミスタの発熱により１／１００℃程度高めに外れることがある。
【０１０６】
そこで、電子体温計１では、計測条件として初回計測値を除き（図１１のｃ参照）、すなわち、上述のように、初回計測値を無視することにより、初回の測温発振時における誤測温（誤計測）などのリスクを回避して、今回計測値の信頼性を高めるようにしている。
【０１０７】
一方、この期間は、表示条件が成立するまでの前回計測値の表示期間と重複させることができる。すなわち、前回計測値の表示期間と重複させれば、同等の期間を従来のものに設けたときと比べて、表示条件が成立するまでの期間分だけ、今回計測値が確認できるまでの期間を短縮できる。
【０１０８】
そこで、電子体温計１では、表示条件としても初回計測を試計測としている（図１１の▲５▼▲６▼ａ、図２２参照）。すなわち、前回値表示中も測温発振することにより測温回路のアイドリングができるので、回路動作が安定し、より正確な測温が可能となり、これにより、前回計測値を確認した後、より信頼性の高い今回計測値をより早く確認できる。
【０１０９】
上述した図１６の表示切替処理（Ｓ４６）が起動されると、図１７に示すように、まず、表示切替が許可されている（ＤＳＦ＝１）か否か、すなわち、ＬＣＤ表示が前回値表示中か否かを判別し（Ｓ５１）、誤作動などにより前回値表示になっていないか、あるいは、すでに今回値表示に切り替えられていて前回値表示中でないときには（Ｓ５１：Ｎｏ）、表示切替は不適当、あるいは不要なので、そのまま何もしないで、処理を終了する（Ｓ５５）。
【０１１０】
前回値表示中で表示切替が許可されているときには（Ｓ５１：Ｙｅｓ）、表示条件が成立しているか否かを判別し（Ｓ５２）、成立しているときには（Ｓ５２：Ｙｅｓ）、「ＬＣＤ表示←今回値表示」（図１１の▲３▼）に切り替えた（Ｓ５３）後、表示切替許可フラグをオフ（ＤＳＦ＝０）にしてから（Ｓ５４）、処理を終了する（Ｓ５５）。成立していないときには（Ｓ５２：Ｎｏ）、そのまま、処理を終了する（Ｓ５５）。
【０１１１】
図１１で前述のように、本実施形態における表示条件は、ａ「初回計測終了後」およびｂ「ＳＷオン−ＯＰＥＮ後」と定めている。このため、図１６の測温処理において、初回計測終了後（ＴＳＦ＝１）の条件が成立してから図１７の表示切替処理（図１６のＳ４６）を起動しても、「ＬＣＤ表示←今回値表示」の切替え（Ｓ５３）は行われず、その後、ｂ「ＳＷオン−ＯＰＥＮ後」の条件が成立したときに、切り替えられる（図２１、図２２参照）。
【０１１２】
そこで、次に、スイッチＳＷを離すことにより発生する割り込み（ＳＷ−ＯＰＥＮ割込）により、ＳＷ−ＯＰＥＮ処理が起動されると、図１８に示すように、まず、測温が許可されている（ＴＳＦ＝１）か否かを判別する（Ｓ６１）。許可されていない（ＴＳＦ＝０の）ときには（Ｓ６１：Ｎｏ）、ＳＷ−ＯＰＥＮ割込以前がオフ状態にあったことを意味する。
【０１１３】
すなわち、その前のＳＷ−ＣＬＯＳＥ処理が図１２で前述のオフ操作のためのものであり（図１２のＳ５：Ｎｏ）、次に、ストップ（Ｓ４：図２０参照）が実行されるので、何もしないで処理を終了する（Ｓ６４）。もっとも、スイッチＳＷが電源スイッチを兼ねている場合、オフと判別される（Ｓ６１：Ｎｏ）前に電源オフとなり（図２０のＳ９６）、本処理自体が実行されないので、この判別処理（Ｓ６１）は測温が許可されていること（Ｓ６１：Ｙｅｓ）の確認的な処理となる。
【０１１４】
測温が許可されているときには（Ｓ６１：Ｙｅｓ）、次に、ＳＷオン−ＯＰＥＮフラグをオン（ＳＯＰＦ＝１）にした（Ｓ６２）後、表示切替処理を行って（Ｓ６３）、処理を終了する（Ｓ６４）。
【０１１５】
上述の図１８の表示切替処理（Ｓ６３）が起動されると、前述と同様に、図１７の表示切替処理が行われ、図１８のＳＷ−ＯＰＥＮ処理が起動される前に図１１のａ「初回計測終了後」（ＴＳＦ＝１）の条件が成立していれば、「ＬＣＤ表示←今回値表示」の切替え（Ｓ５３）が行われる。また、ａ「初回計測終了後」（ＴＳＦ＝１）の条件が成立していなければ、「ＬＣＤ表示←今回値表示」の切替え（Ｓ５３）は行われず、その後、ａ「初回計測終了後」の条件が成立したときに、切り替えられる（図２３参照）。
【０１１６】
ところで、本実施形態の電子体温計１では、ＳＷ−ＯＰＥＮ処理は、上述の表示条件にのみ使用され、他の処理のトリガ等になるものではない。すなわち、表示条件として用いない場合には、ＳＷ−ＯＰＥＮ処理は不要である。
【０１１７】
すなわち、前述の従来の温度計測器では、オン操作を構成するスイッチを押す（閉：ＣＬＯＳＥ）操作（第１切替操作）と離す（開：ＯＰＥＮ）操作（第２切替操作）の２操作が、それぞれ前回計測値の表示開始のトリガと今回計測の開始のためのトリガとなっていたため、キースイッチなどの２操作を要するオン操作手段が必須となっていたが、この電子体温計１（計測器）では、第２切替操作を表示条件として用いない限り、単一のトリガでよいので、単一の操作でオン操作可能なスライドスイッチやロータリースイッチなども適用でき、その場合、スイッチ等の操作数も半減できる。
【０１１８】
また、２操作を要するオン操作手段が必須でないことから、本実施形態のスイッチＳＷ（構成的にはキースイッチの一種）などのように、オン操作手段が２操作を要する手段である場合であっても、その第１切替操作により、今回の計測を開始することができ、第２切替操作により今回の計測を開始する従来のものより、より早く今回計測値を求めることができる。
【０１１９】
また、２操作を要するオン操作手段が必須でないことから、その第２切替操作を他の目的で使用することができる。すなわち、例えば本実施形態のように、その第２切替操作（ＳＷ−ＯＰＥＮ操作）を、表示条件に含ませることにより（ｂ「ＳＷオン−ＯＰＥＮ後」（ＳＯＰＦ＝１）の条件）、表示条件に他の条件（ａ「初回計測終了後」（ＴＳＦ＝１）の条件）が含まれていても、他の条件成立よりもこの第２切替操作を意識的に遅らせることにより、任意の期間だけ、前回計測値の確認をすることができる（図２４、図２５参照）。
【０１２０】
また、この場合も、第１切替操作（ＳＷオン−ＣＬＯＳＥ操作）から第２切替操作（ＳＷオン−ＯＰＥＮ操作）までの期間は、今回の計測の期間と重複する期間なので、今回の計測を遅らせることなく、前回計測値の確認ができる。また、この第２切替操作を、今回計測値確定後まで遅らせれば、前回計測値の表示が終了すると同時に今回計測値の表示となり、前回と今回の計測値の確認およびそれらの比較などがし易くなる（図２５参照）。
【０１２１】
また、本実施形態における計測条件、すなわち、今回計測値を確定するための条件は、図１１で前述のように、ｃ「初回計測値を除くこと」、ｄ「今回計測値を確定するためには、所定範囲内（３２〜４２℃）で連続４回最大値の更新がないこと」およびｅ「アラーム後、所定時間（３秒）の計測値を除くこと」と定めている。
【０１２２】
図１６に戻り、前述のように、測温発振終了割込が発生し、測温処理が起動されると、まず、２回目以降（Ｔ２Ｆ＝１）か否かを判別する（Ｓ４１）。ここで、２回目以降のときには（Ｓ４１：Ｙｅｓ）、上述のｃ「初回計測値を除くこと」の条件が成立するので、次に、最後のアラーム報知後、所定時間（３秒）経過しているか否かを判別し（Ｓ４８）、経過していないときには（Ｓ４８：Ｎｏ）、そのときの測温値（計測値）を無視して、そのまま終了する（Ｓ４７）。
【０１２３】
一般の計測器において、例えば、ブザー、アラーム、他の表示手段などの、今回計測値を表示する表示手段以外の報知手段を起動することが、電源電圧変動などの計測環境に影響することがある。
【０１２４】
そこで、電子体温計（計測器）１では、前述した初回計測値と同様に、今回計測値を確定するときに、これらの誤計測の可能性のある期間の計測値を無視することにより、今回計測値の信頼性を高めるようにしている。なお、上述の処理（Ｓ４８）では、その期間を、所定時間（３秒）で定めているが、例えば、アラーム報知後、所定回数（例えば１回程度）の試計測期間（計測値を無視する計測の期間）などに基づいて定めても良い。
【０１２５】
また、本実施形態におけるアラーム報知（ブザーＢＺによる報知）は、正常な動作を行っている場合、ＳＷオン−ＣＬＯＳＥ操作時にクリック音として（図２２中のαは、図２１のチャタリング防止期間ｔｃｈ（３２〜６３ｍｓ）＋分周期間（１００ｍｓ））、および、今回計測値が確定したときにその終了報告として（図１９のＳ８７：３秒）、利用される。
【０１２６】
しかし、前者による所定時間は、ｃ「初回計測値を除くこと」の条件と重複し（図２２参照）、後者は、今回計測値確定後なので、（図２２の今回計測値確定直後のｎ＋１回目の計測値が無視されるだけで、）計測の制限とはなっていない。
【０１２７】
ただし、（例えば図１５のエラー報知（Ｓ３５）などの）他のタイミングで報知が行われれば（図２６参照）、その後の所定時間に行われた（図２６の例では３回目の）計測の計測値を無視することになる（図２６の仮確定値（１）と仮確定値（２）は同一の値となる）。
【０１２８】
一方、最後のアラーム報知後、所定時間（３秒）が経過しているときには（Ｓ４８：Ｙｅｓ）、次に、「今回値表示←計測値表示」に切り替えた（Ｓ４９：図１１の▲６▼）後、今回計測値確定処理を行ってから（Ｓ５０）、処理を終了する（Ｓ４７）。
【０１２９】
図１６で上述の今回計測値確定処理（Ｓ５０）が起動されると、図１９に示すように、まず、測温カウント値Ｎｔを取得し（ＭＡＸＣＣ←Ｎｔ）（Ｓ７１）、次に、最大カウント値を更新する（ＭＡＸＣＣ←ｍａｘ［ＭＡＸＣＣ，ＭＡＸＣ４］：ここで、ｍａｘ［ａ，ｂ］は、ａまたはｂのいずれか大きい方の値）（Ｓ７２）。
【０１３０】
最大カウント値更新（Ｓ７２）が終了すると、次に、その最大カウント値ＭＡＸＣＣが３２℃におけるカウント値ＮＭＩＮより小さいか否かを判別し（Ｓ７３）、小さいときには（Ｓ７３：Ｙｅｓ）、「計測値表示←低温度表示」（図１１のｈ）に切り替える（Ｓ７４）。
【０１３１】
一般に、体温計では、計測対象の体温により感温部２が温まるまで、所定の時間を要するので、この場合、次に、２回目計測後、すなわち、試計測の初回計測を除き最初の計測が終了してから、３分経過しているか否かを判別する（Ｓ７５）。
【０１３２】
３分経過していないときは（Ｓ７５：Ｎｏ）、まだ、感温部２が温まっていないものと判別して、処理を終了するが（Ｓ７７）、経過しているときには（Ｓ７５：Ｙｅｓ）、通常の体温の範囲であり電子体温計１の測温範囲の下限値でもある３２℃に、３分経過しても満たないことから、計測異常と判別して、ストップする（Ｓ７６）。なお、ここで、エラー報知などをするようにしても良い。
【０１３３】
次に、最大カウント値ＭＡＸＣＣが所定のカウント値ＮＭＩＮ以上のときには（Ｓ７３：Ｎｏ）、次に、その最大カウント値ＭＡＸＣＣが４２℃におけるカウント値ＮＭＡＸより大きいか否かを判別し（Ｓ７８）、大きいときには（Ｓ７８：Ｙｅｓ）、「計測値表示←高温度表示」（図１１のｇ）に切り替える（Ｓ７９）。
【０１３４】
本処理では、上述した最大カウント値更新（Ｓ７２）により得られた最大カウント値ＭＡＸＣＣを保持（ホールド）するため、４２℃におけるカウント値ＮＭＡＸより大きい値が出現すると、それ以降、所定の計測値範囲（３２〜４２℃）にならない。すなわち、それ以降の計測は無意味となるので、この場合も、計測異常と判別して、ストップする（Ｓ８０）。なお、ここでも、エラー報知などをするようにしても良い。
【０１３５】
一般に、計測器には、電子体温計や電子血圧計など、正常な計測値が所定の計測値範囲内の値となることが知られているものがある。本実施形態の電子体温計１もその種の計測器であり、計測対象を体温として、所定の計測値範囲を３２〜４２℃等と定めておくことにより、計測値（体温）がこの計測値範囲内にあるときには正常、範囲外のときには不正と判断できる。
【０１３６】
このため、上述のように、電子体温計１では、所定の計測値範囲（３２〜４２℃）を計測条件に含め（図１１のｄの前半）、今回計測値の確定（終了）の目安にすることにより、３２℃未満や４２℃を超える値が計測されたときに、それを計測異常と判別している。また、その場合、それ以降の計測は無意味となるので、計測を終了して、ストップしている（Ｓ７６、Ｓ８０）。
【０１３７】
すなわち、電子体温計（計測器）１では、今回計測値が所定の計測値範囲内の値となるか否かが確定したこと、言い換えれば、計測異常か否かが確定したことを、計測条件に含め、それを、今回計測値の確定の目安にし、計測終了の条件としているので、計測に要する時間の短縮ができ、これにより、再計測の機会がより早く得られるなど、操作性や利便性が向上している。
【０１３８】
次に、最大カウント値ＭＡＸＣＣが所定のカウント値ＮＭＡＸ以下のときには（Ｓ７８：Ｙｅｓ）、最大カウント値ＭＡＸＣＣが所定の計測値範囲（３２〜４２℃）に対応するカウント値なので、前述の（２）式および図８の直線近似データに基づいて測温値を求め（Ｓ８１）、「計測値表示←測温値表示」（図１１のｉ）に切り替えた（Ｓ７９）後、記憶値を更新する（Ｓ８３）。
【０１３９】
この記憶値更新（Ｓ８３）では、過去４回分の最大カウント値の履歴を記憶する。すなわち、図１１で前述の計測条件ｃ〜ｅのうちのｃ「初回計測値を除くこと」（図１６のＳ４１参照）およびｅ「アラーム後、所定時間（３秒）の計測値を除くこと」（図１６のＳ４８参照）は成立しているので、残る１つの条件であるｄ「今回計測値を確定するためには、所定範囲内（３２〜４２℃）で連続４回最大値の更新がないこと」を判別するために、過去４回分の最大カウント値の履歴を記憶する。
【０１４０】
具体的には、図示のように、「第１カウント値ＭＡＸＣ１←第２カウント値ＭＡＸＣ２」、「第２カウント値ＭＡＸＣ１←第３カウント値ＭＡＸＣ３」、「第３カウント値ＭＡＸＣ３←第４カウント値ＭＡＸＣ４」、および「第４カウント値ＭＡＸＣ４←最大カウント値ＭＡＸＣＣ」の代入処理を行う（Ｓ８４）。
【０１４１】
記憶値更新（Ｓ８３）が終了すると、次に、今回計測値が確定済（ＴＥＦ＝１）か否かを判別し（Ｓ８４）、確定済でないときには（Ｓ８４：Ｎｏ）、次に、連続４回最大値の更新がないか否かを判別する（Ｓ８５）。具体的には、最大カウント値が連続４回一定であること、すなわち、「ＭＡＸＣ１＝ＭＡＸＣ２＝ＭＡＸＣ３＝ＭＡＸＣ４」か否かを判別する（Ｓ８５）。
【０１４２】
そして、最大値の更新があったときには（Ｓ８５：Ｎｏ）、そのまま終了し（Ｓ８６）、最大値の更新がないときには（Ｓ８５：Ｙｅｓ）、アラーム報知により測温の終了を報知する（Ｓ８７）。この時点で、図１１で前述の計測条件ｃ〜ｅが全て成立するので、次に、今回計測値確定フラグをオン（ＴＥＦ＝１）にし（Ｓ８８）、表示切替処理を行った（Ｓ８９）後、処理を終了する（Ｓ９０）。
【０１４３】
なお、ここで、表示切替処理（Ｓ８９）が挿入されているのは、後述の「表示条件に計測条件の全部が含まれる場合（図２７〜図２８参照）にも対応することを想定したものであり、そのような条件設定が想定できなければ、省略できる。
【０１４４】
一般に、計測器には、計測値が一定の値に収束するものがある。このような場合、計測値の変化がなくなったとき、すなわち、計測値が一定となったときに最終値が得られる。ただし、測定器には、所定の誤差が許容されているので、最終的に一定となるのを待たなくとも、その誤差範囲内で、直線近似等により最終値を得ることができる。
【０１４５】
このため、電子体温計１の上述の「最大カウント値が連続４回一定である」の判別（Ｓ８５）も、上述のような完全に一定になっているのを判別する方法ではなく、所定時間後に一定になることを直線近似等により求めて、その値を最終値（体温）として確定することもできる。
【０１４６】
すなわち、電子体温計（計測器）１では、計測条件に、最近の計測値の変化が所定の変化範囲内にあること（一定も含む）が含まれることにより、直線近似等により求めた値を今回計測値にするなど、計測値確定（終了）の条件とすることができ、この結果、計測に要する時間の短縮が可能になり、操作性や利便性を向上できる。
【０１４７】
一方、今回計測値が確定済（ＴＥＦ＝１）のときには（Ｓ８４：Ｙｅｓ）、次に、表示条件が成立してから３０分経過しているか否かを判別し（Ｓ９１）、経過していないときには（Ｓ９１：Ｎｏ）、そのまま処理を終了し（Ｓ９３）、経過しているときには（Ｓ９１：Ｙｅｓ）、ストップする（Ｓ９２）。
【０１４８】
次に、所定のストップ条件が成立すると、図２０に示すように、ストップ処理（ＳＴＯＰ処理）が起動される。
【０１４９】
このストップ条件としては、（ａ）「ＬＣＤ表示←ＢＬＤ表示」に切り替え後、１分経過したとき（図１２のＳ３〜Ｓ４、図１３のＳ１２〜Ｓ１３）、（ｂ）スイッチＳＷによるオフ操作のためのＳＷ−ＣＬＯＳＥ割込が発生したとき（図１２のＳ５〜Ｓ４）、（ｃ）取得した基準カウント値Ｎｓが既知の値と一致せず、エラー報知がされたとき（図１５のＳ３２〜Ｓ３６）、（ｄ）２回目計測後３分経過しても測温範囲の下限値（３２℃）に満たないとき（図１９のＳ７４〜Ｓ７６）、（ｅ）測温値が測温範囲の上限値（４２℃）を超えたとき（図１９のＳ７９〜Ｓ８０）、および、（ｆ）表示条件が成立した後、３０分経過しているとき（図１９のＳ９１〜Ｓ９２）。
【０１５０】
そして、上述のストップ条件は、スイッチＳＷのオフ操作（ＳＷオフ）によるもの（上記の（ｂ））、表示条件成立後の所定時間経過（オートオフ）によるもの（上述の（ｆ））、および、何らかの異常（エラー）によるもの（上述の（ａ）、（ｃ）〜（ｅ））、に大別される（「ＳＷオフorオートオフorエラー」：図１１の▲４▼）。
【０１５１】
これらの「ＳＷオフorオートオフorエラー」のストップ条件が成立して、ＳＴＯＰ処理が起動されると、図２０に示すように、まず、今回値表示の表示情報（今回値表示情報）を記憶した（Ｓ９５）後、オフ処理を行って（Ｓ９６）、全処理を終了する（Ｓ９７）。
【０１５２】
ここで、今回値表示情報には、図１１の▲５▼〜▲６▼およびｇ〜ｋの設定情報など、本処理（ＳＴＯＰ処理）起動時の今回値表示を再現できるための情報が含まれる。そして、この今回値表示情報は、今回値表示情報記憶（Ｓ９５）において、前回値表示情報に切り替えられ、次回の計測まで前回値表示情報として保持される（Ｓ９５１）。
【０１５３】
また、オフ処理（Ｓ９６）では、測温許可フラグをオフ（ＴＳＦ＝０）にし、ＬＣＤ６の表示をオフにするとともに、スイッチＳＷが電源スイッチを兼ねているときには、電源をオフする（Ｓ９６）。
【０１５４】
上述のように、電子体温計（計測器）１では、スイッチＳＷ（オフ操作が可能なオフ操作手段）によりオフ操作ができるので、任意の時点でオフ状態にすることができる。
【０１５５】
また、その時点で、今回計測値がまだ確定されていないときには、仮確定値表示（図１１の▲６▼▲７▼：仮確定値の表示）や計測中を示す表示（図１１の▲５▼または▲６▼ｊ）のための計測中表示情報を、今回値表示情報（今回計測値表示情報）として記憶するので、仮に計測途中でオフ状態にしても、次回のオン操作において、その仮確定値表示や計測中を示す表示を前回値表示（前回計測値の表示）として表示できる。これにより、仮確定値の表示情報から前回計測中の仮確定値を確認でき、計測中を示す表示情報から前回計測途中でオフ状態となったことを知ることができる。
【０１５６】
なお、電子体温計１では、オフ操作手段として、オン操作手段と同一のスイッチＳＷ（構成的にはキースイッチの一種：同一のスイッチの２度の押下の１度目がオン操作、２度目がオフ操作）を使用しているが、オン操作手段とは別の手段（例えばオン操作手段がオンスイッチの場合、オフ操作手段がオフスイッチ）としても良い。また、スライドスイッチやロータリースイッチの別の位置を、オン状態の位置とオフ状態の位置などのように定めることもできる。
【０１５７】
また、電子体温計（計測器）１では、所定の今回値表示期間（上述の例では３０分）が経過したときに、オートオフのストップ条件が成立してＬＣＤ６の表示をオフする。すなわち、自動的に表示を終了させるオートオフ機能（自動オフ切替手段）を備えているので、ユーザが特になにもしなくても（オフ操作を忘れても）オフ状態に戻すことができる。
【０１５８】
なお、上述の例では、今回値表示期間を、所定時間（３０分）により定めているが、この他、所定回数（例えば９００回程度）の計測期間などに基づいて定めても良い。
【０１５９】
上述のように、電子体温計１は、図１１〜図２０を参照して説明した処理により、図２１〜図２６に示すように作動する。
【０１６０】
すなわち、電子体温計（計測器）１では、例えば図２１〜図２２に示すように、今回の計測の開始と同時（あるいは人目では判別しにくい程度に前後のタイミング：ほぼ同時）に、前回値表示（前回計測値の表示）を開始するので、前回計測値の表示により前回計測値の確認ができる。
【０１６１】
また、今回の計測の期間と表示条件が成立するまでの前回計測値の表示の期間とを重複させることができる（両期間が並行して経過する）ので、前回計測値の表示の期間に今回の計測を進めることができる。すなわち、この期間に試計測期間などのいわゆるアイドリング期間を設けられるので、前回計測値を確認した後、より信頼性の高い今回計測値をより早く確認できる。
【０１６２】
また、所定の表示条件が成立した後に今回計測値を表示するので、その表示条件の定め方により、表示する今回計測値をより信頼性の高いものにしたり、その表示タイミングを調整したりするなどの、種々の工夫ができる。
【０１６３】
また、電子体温計（計測器）１では、所定の計測条件が成立した後に今回計測値を確定するので、例えば計測環境の条件や計測または確定・タイミングの条件（図１１のｃ〜ｅ等参照）など、計測値の信頼性や計測器の操作性・利便性などを高めるための種々の条件を定め、それが成立後に今回計測値を確定することにより、その今回計測値の信頼性を高めるなど、種々の工夫ができる。
【０１６４】
また、電子体温計（計測器）１では、表示条件に、今回計測値を確定する前提となる計測条件の一部を含んでいる。すなわち、図２２または図２６などから明かなように、図１１で前述の表示条件のうち、ａ「初回計測終了後」の条件は、同図の計測条件の、ｃ「初回計測値を除くこと」の条件と実質的に同じであり、このａ「初回計測終了後」の条件を含むことによって、表示条件の成立時には、他の表示条件に拘らず、必ずその計測条件（上記ｃ）が成立している（図２３参照）。
【０１６５】
そして、このことにより、表示される計測値は、その計測条件を満足する計測値、すなわち、初回の測温発振時における誤測温（誤計測）などのリスクを回避した信頼性の高い計測値となる。また、この場合、表示条件に含まれる計測条件成立までの前回計測値の確認期間が確保でき、かつ、前回計測値を確認した後、今回計測値をより早く確認できる。
【０１６６】
なお、表示条件に、計測条件の全部を含めても良い。例えば、図２７および図２８に示すように、上述の表示条件のａ「初回計測終了後」の条件の代わりに、計測条件の全部をそのまま含めれば、他の条件（例えば、図１１のｂ「ＳＷオン−ＯＰＥＮ後」の条件）に拘らず、表示条件の成立時には、必ずその計測条件の全部が成立し、今回計測値が確定しているので、表示される計測値は、今回計測値となる。すなわち、この場合、表示条件に含まれる計測条件成立までの前回計測値の確認期間が確保でき、かつ、前回計測値を確認した直後に、今回計測値を確認できる。
【０１６７】
また、表示条件に、所定の前回値表示期間が経過したことを含めることもできる。この場合、前回値表示期間は、所定時間や所定回数の計測期間などに基づいて定めれば良い。例えば、２回目計測終了までを前回値表示期間と定めれば、図２９〜図３１に示すように、（全点灯表示期間を廃止して、）他の条件に拘らず、最低限その分（２回目計測終了まで）の期間だけは、前回計測値の確認ができる。
【０１６８】
すなわち、前回値表示期間として十分な期間を定めておけば、前回計測値の確認を十分に行うことができる。また、この前回値表示期間は、今回の計測の期間と重複して（並行に）経過する期間なので、今回の計測を遅らせることなく、前回計測値の確認ができる。
【０１６９】
また、前回計測値の表示に代えて今回計測値を表示する場合、表示条件に他の条件が含まれるときに、前回値表示期間を他の条件が成立するまでの期間より長く定めれば、図３１〜図３２に示すように、表示条件全体の成立時を前回値表示期間の経過時と一致させることができるので、所望の期間だけ前回計測値の確認を行うことができる。
【０１７０】
なお、この場合の前回値表示期間も、所定時間（例えば１分程度）や所定回数（例えば３０回程度）の計測期間などに基づいて定めれば良い。
【０１７１】
なお、本発明は、上述した実施形態に限定されることなく、種々の態様で実施することができる。
【０１７２】
例えば、上述の実施形態では、本発明の計測器およびその表示方法を、電子体温計に適用したが、電子体温計と同様の要望のある計測器、例えば電子血圧計などにも適用できる。また、電子体温計や電子血圧計などの計測器と同様に、計測に先立ち、前回の計測値を確認したいという要望のある計測器に適用できる。
【０１７３】
また、上述の実施形態では、前回計測値の表示に代えて、すなわち切り替えて、今回計測値を表示するものであったが、前回計測値を確認した後、より信頼性の高い今回計測値をより早く確認するという課題
（目的）や、上述した種々の作用・効果を得られる点において、前回計測値とともに今回計測値を表示できる計測器、すなわち同時に確認できる計測器に対しても、適用できる。
【０１７４】
その他、本発明を逸脱しない範囲で、適宜変更が可能である。
【０１７５】
【発明の効果】
上述のように、本発明の計測器およびその表示方法によれば、前回計測値を確認した後、信頼性の高い今回計測値をより早く確認できる、などの効果がある。
【図面の簡単な説明】
【図１】本発明の一実施形態に係る電子体温計の外観斜視図である。
【図２】図１の電子体温計の組立図である。
【図３】図１の電子体温計内の電気回路図である。
【図４】図１の電子体温計内の回路基板図である。
【図５】図１の電子体温計の感温部の構造図である。
【図６】図１の電子体温計の表示部近傍の構造図である。
【図７】図１の電子体温計のブロック図である。
【図８】直線近似データの一例を示す図である。
【図９】表示部のＬＣＤの構成およびその表示例を示す説明図である。
【図１０】別の例を示す、図９と同様の図である。
【図１１】ＬＣＤの表示の種別、切替条件および表示データの流れを示すイメージ図である。
【図１２】ＳＷ−ＣＬＯＳＥ処理を示すフローチャートである。
【図１３】ＢＬＤ表示処理を示すフローチャートである。
【図１４】計測開始処理を示すフローチャートである。
【図１５】基準発振周波数確認処理を示すフローチャートである。
【図１６】測温処理を示すフローチャートである。
【図１７】表示切替処理を示すフローチャートである。
【図１８】ＳＷ−ＯＰＥＮ処理を示すフローチャートである。
【図１９】今回計測値確定処理を示すフローチャートである。
【図２０】ＳＴＯＰ処理を示すフローチャートである。
【図２１】計測および表示に関する主要タイミングの一例を示すタイムチャートである。
【図２２】図２１の例に対応する内部処理の諸条件に関するタイムチャートである。
【図２３】別の例に対応する、図２２と同様のタイムチャートである。
【図２４】さらに別の例に対応する、図２２と同様のタイムチャートである。
【図２５】さらに別の例に対応する、図２２と同様のタイムチャートである。
【図２６】さらに別の例に対応する、図２２と同様のタイムチャートである。
【図２７】さらに別の例に対応する、図２２と同様のタイムチャートである。
【図２８】さらに別の例に対応する、図２２と同様のタイムチャートである。
【図２９】さらに別の例に対応する、図２２と同様のタイムチャートである。
【図３０】さらに別の例に対応する、図２２と同様のタイムチャートである。
【図３１】さらに別の例に対応する、図２２と同様のタイムチャートである。
【図３２】さらに別の例に対応する、図２２と同様のタイムチャートである。
【図３３】従来例における、図２１と同様のタイムチャートである。
【符号の説明】
１      電子体温計
２      感温部
３      表示部
４      電源部
５      カスタム集積回路（ＩＣ）
６      液晶ディスプレイ（ＬＣＤ）
７      回路基盤
２０    温度検出部
２１    測温発振回路
２２    カウンタ
２３    論理調整回路
４２    ＢＬＤ回路
ＳＷ    スイッチ
ＴＨ    サーミスタ
ＲＳ    基準抵抗
ＣＳ    変換コンデンサ
ＢＺ    圧電ブザー
ＢＴ    電池
【図１】
0003763199.tif 000002
【図２】
0003763199.tif 000003
【図３】
0003763199.tif 000004
【図４】
0003763199.tif 000005
【図５】
0003763199.tif 000006
【図６】
0003763199.tif 000007
【図７】
0003763199.tif 000008
【図８】
0003763199.tif 000009
【図９】
0003763199.tif 000010
【図１０】
0003763199.tif 000011
【図１１】
0003763199.tif 000012
【図１２】
0003763199.tif 000013
【図１３】
0003763199.tif 000014
【図１４】
0003763199.tif 000015
【図１５】
0003763199.tif 000016
【図１６】
0003763199.tif 000017
【図１７】
0003763199.tif 000018
【図１８】
0003763199.tif 000019
【図１９】
0003763199.tif 000020
【図２０】
0003763199.tif 000021
【図２１】
0003763199.tif 000022
【図２２】
0003763199.tif 000023
【図２３】
0003763199.tif 000024
【図２４】
0003763199.tif 000025
【図２５】
0003763199.tif 000026
【図２６】
0003763199.tif 000027
【図２７】
0003763199.tif 000028
【図２８】
0003763199.tif 000029
【図２９】
0003763199.tif 000030
【図３０】
0003763199.tif 000031
【図３１】
0003763199.tif 000032
【図３２】
0003763199.tif 000033
【図３３】
0003763199.tif 000034